(57)【要約】【課題】ロッドに伝わるルアーの振動を疑似的に体験することができ、実際に釣り場で使用しなくてもルアーとの相性を簡易的に評価することができるロッド評価システムを提供する。【解決手段】固定配置された基準部材と測定対象であるルアーとの間を基準ラインで連結した状態でルアーを水中で動かしたときに、基準ラインを介して基準部材に伝達されるルアーの振動を測定する振動測定装置と、ロッド４に装着されたリール５から繰り出された使用ライン６を加振するための加振器３０と、前記振動測定装置によって測定された複数種類のルアーの振動データを記憶する記憶装置３１と、該記憶装置３１が記憶する複数の振動データから所望の振動データを選択するための入力装置３２と、該入力装置３２により選択された振動データに基づいて使用ライン６を加振させるように加振器３０を制御する制御装置３３とを備えている。【選択図】図２
2015138003.tif 000002
【特許請求の範囲】
【請求項１】
固定配置された基準部材と測定対象であるルアーとの間を基準ラインで連結した状態でルアーを水中で動かしたときに、基準ラインを介して基準部材に伝達されるルアーの振動を測定する振動測定装置と、
ロッドに装着されたリールから繰り出された使用ラインを加振するための加振器と、
前記振動測定装置によって測定された複数種類のルアーの振動データを記憶する記憶装置と、
該記憶装置が記憶する複数の振動データから所望の振動データを選択するための入力装置と、
該入力装置により選択された振動データに基づいて使用ラインを加振させるように加振器を制御する制御装置とを備えていることを特徴とするロッド評価システム。
【請求項２】
基準ラインが金属ラインである請求項１記載のロッド評価システム。
【請求項３】
固定配置された基準部材と測定対象であるルアーとの間を基準ラインで連結した状態でルアーを水中で動かしたときに、基準ラインを介して基準部材に伝達されるルアーの振動を測定することによって得られた複数種類のルアーの振動データを記憶する記憶装置と、
ロッドに装着されたリールから繰り出された使用ラインを加振するための加振器と、
該記憶装置が記憶する複数の振動データから所望の振動データを選択するための入力装置と、
該入力装置により選択された振動データに基づいて使用ラインを加振させるように加振器を制御する制御装置とを備えていることを特徴とするロッド評価システム。
【発明の詳細な説明】
【技術分野】
【０００１】
本発明は、ルアーフィッシングに使用されるロッドを評価するためのシステムに関する。
【背景技術】
【０００２】
例えばバスフィッシングに代表されるルアーフィッシングにおいては、クランクベイトやミノー、バイブレーションといった数多くの種類のルアーが存在している。これらのルアーはそれぞれ水中において特有の動きをする。そして、ルアーは、その特有の動きによってバス等の対象魚を引きつけるが、そのルアーの振動はラインからロッドへと伝達され、ロッドを把持している釣り人の手へと伝達されることになる。従って、釣り人は、ロッドから伝わるルアーの振動を頼りにして水中でのルアーの動きを想像しながらリトリーブすることになる。ルアーフィッシングにおいては、ルアーの動きを感じながらリトリーブすることが重要であり、ロッドから伝わるルアーの振動は釣り人にとって重要な情報となる。
【０００３】
一方、ロッドの種類も数多く存在している。一本のロッドで複数種類のルアーを使用することも可能であるが、釣り人によってはルアーの種類毎にそれに適していると思われるロッドを選択して使用することもある。現在では、特定の種類のルアーをターゲットとした専用ロッドに近いものや、バーサタイルなロッドとして汎用性や適用性を高めたもの等、数多くの種類のロッドが存在する中から、釣り人は所望のものを選択しそれを購入して実際の釣りにおいてそれを使用することになる。
【０００４】
しかしながら、釣り場でロッドを使用してみなければ、そのロッドを介してルアーの振動がどのように伝わるかはわからない。即ち、実際にロッドを使用することによって初めて釣り人はそのロッドを介してルアーの振動を感じ取ることができ、ルアーの種類を変えた場合においてロッドに伝わる振動がどの程度変化するのかということについても把握することができる。また、その振動の感じ方は釣り人によって異なってくる。従って、釣り場で実際にロッドを使用しなくても、例えばロッドの購入前においてロッドに伝わるルアーの振動を疑似的に体験することができれば、釣り人にとって便利である。
【０００５】
また、ロッドの設計者や製作者にとっても、新しく製作したロッドを実際に釣り場でテストしなくてもロッドに伝わるルアーの振動を設計現場や製作現場において疑似的に体験することができればやはり便利であって、効率の良い設計、製作が可能になる。
【先行技術文献】
【特許文献】
【０００６】
【特許文献１】特開２００３−１０６９３２号公報
【発明の概要】
【発明が解決しようとする課題】
【０００７】
それゆえに本発明は上記従来の問題点に鑑みてなされ、ロッドに伝わるルアーの振動を疑似的に体験することができ、実際に釣り場で使用しなくてもルアーとの相性を簡易的に評価することができるロッド評価システムを提供することを課題とする。
【課題を解決するための手段】
【０００８】
本発明は上記課題を解決すべくなされたものであって、本発明に係るロッド評価システムは、固定配置された基準部材と測定対象であるルアーとの間を基準ラインで連結した状態でルアーを水中で動かしたときに、基準ラインを介して基準部材に伝達されるルアーの振動を測定する振動測定装置と、ロッドに装着されたリールから繰り出された使用ラインを加振するための加振器と、前記振動測定装置によって測定された複数種類のルアーの振動データを記憶する記憶装置と、該記憶装置が記憶する複数の振動データから所望の振動データを選択するための入力装置と、該入力装置により選択された振動データに基づいて使用ラインを加振させるように加振器を制御する制御装置とを備えていることを特徴とする。
【０００９】
該構成のロッド評価システムにあっては、ルアーの振動を測定するための振動測定装置を備えており、該振動測定装置においては、基準部材が固定配置されていて、その基準部材と測定対象となるルアーとの間を基準ラインで連結する構成となっている。そして、その状態でルアーを水中で動かす。例えば、水槽にルアーを入れて、水槽の水に水流を発生させることによって基準ラインを巻き取ることなくルアーを所定位置で動かすようにする。ルアーが動くことによってそのルアー特有の振動が発生し、その振動は基準ラインを介して基準部材に伝達され、基準部材において種々のセンサーによって振動を測定する。このように、評価対象となるロッドを使用してそれに伝わるルアーの振動を測定するのではなく、固定配置された基準部材と測定対象となるルアーとの間を基準ラインによって連結するという一定条件の下で種々のルアーの振動特性を測定し、それらの各種のルアーの振動データを記憶装置に記憶しておくようにする。振動データは、振動数と振幅を含むデータであり、ルアーの種類と共にテーブルとして記憶しておくことが好ましい。
【００１０】
一方、入力装置により、記憶装置が記憶する複数の振動データから所望の振動データを選択することができ、制御装置は、入力装置により選択された振動データに基づいて加振器を制御する。評価対象となるロッドにはリールが装着されており、そのリールのスプールには実際の使用状態を想定したライン、即ち使用ラインが巻かれている。リールから繰り出された使用ラインはロッドのガイド（外ガイドである場合にはその外ガイド）によって穂先へと案内され、一般的には、そこから更に所定長さ繰り出された状態とされる。その使用ラインを加振器によって加振することによって、加振器から使用ラインに振動データに基づいた振動を入力する。使用ラインに入力された振動はリール及びロッドのガイドからロッドへと伝達される。従って、釣り人やロッド設計者等の使用者がロッドのグリップ（把持部）を把持することにより、あたかもルアーを実際に使用しているかの如き振動が使用者の手に伝わることになる。また、記憶装置が記憶する複数の振動データから所望の振動データを選択することができるので、各種のルアーとロッドとの相性も容易に疑似体験できる。
【００１１】
特に、振動測定装置における基準ラインには金属ラインを使用することが好ましく、ナイロンラインやフロロライン、ＰＥライン等に比して伸びが小さく振動伝達特性に優れていることから、より一層正確にルアーの振動を測定することができる。
【００１２】
また、本発明に係るロッド評価システムは、固定配置された基準部材と測定対象であるルアーとの間を基準ラインで連結した状態でルアーを水中で動かしたときに、基準ラインを介して基準部材に伝達されるルアーの振動を測定することによって得られた複数種類のルアーの振動データを記憶する記憶装置と、ロッドに装着されたリールから繰り出された使用ラインを加振するための加振器と、該記憶装置が記憶する複数の振動データから所望の振動データを選択するための入力装置と、該入力装置により選択された振動データに基づいて使用ラインを加振させるように加振器を制御する制御装置とを備えていることを特徴とする。
【発明の効果】
【００１３】
以上のように、本発明に係るロッド評価システムを使用すれば、実際にロッドを使用してルアーフィッシングを行わずとも、選択したルアーが発生する振動がロッドにどのように伝達されるのかということを実際に感じることができ、ルアーとロッドとの相性を簡易的に評価することができる。また、評価対象となるロッドを使用してルアーの振動を測定するのではなく、一定条件の下で各種のルアーの振動を測定してその振動データを記憶しておくので、ルアーの振動を正確に測定することができると共に、各種のルアーと評価対象のロッドとの間の相性を正確に評価することができる。
【図面の簡単な説明】
【００１４】
【図１】本発明の一実施形態におけるロッド評価システムの振動測定装置を示す正面図。
【図２】同ロッド評価システムのブロック図。
【図３】同ロッド評価システムにおいて使用される振動データテーブル。
【発明を実施するための形態】
【００１５】
以下、本発明の一実施形態に係るロッド評価システムについて図１〜図３を参酌しつつ説明する。本実施形態のロッド評価システムは、図１に示すようにルアー３の振動を測定するための振動測定装置１と、図２に示すように評価対象となるロッド４に伝わる振動を体感するための振動体感装置２とから構成される。
【００１６】
まず、振動測定装置１について説明する。振動測定装置１は、所定量の水が入れられた水槽１０を備えており、該水槽１０の中にルアー３を入れて測定する。水槽１０には、配管１１が設けられていて所望の水流を発生させることができるようになっている。前方の噴き出し口１２と後方の排出口との間が配管１１によって接続されていてそこにモータが備えられている。そして、前方の噴き出し口１２から水槽１０の中に水を出して水流を発生させ、後方の排出口１３から水を排出し、モータ１４によって水を循環させることによって連続的な水流発生を可能としている。水流の速さも任意に調整可能である。
【００１７】
水槽１０の前側には、基準部材１５が固定配置されている。該基準部材１５は、例えば横腕部１５ａと縦腕部１５ｂとからＬ字状に形成され、その横腕部１５ａが水槽１０の側壁に固定され、縦腕部１５ｂが垂直下方に伸びていて、縦腕部１５ｂの下部が水中に所定長さ浸かった状態にある。その縦腕部１５ｂの下部にライン取付部１６が設けられていて、該ライン取付部１６に基準ライン１７が取り付けられている。基準ライン１７としては、種々のラインを使用することができ、ナイロンラインやフロロライン、ＰＥライン等であってよいが、特に、金属ラインとすることが好ましい。一端がライン取付部１６に取り付けられた基準ライン１７の他端に測定対象のルアー３が取り付けられる。基準ライン１７の他端に直接ルアー３を結合してもよいが、サルカン１８を介してルアー３を取り付けることが好ましい。基準ライン１７の長さは任意であるが、水流が安定する箇所にルアー３を設置することができるように長さを調整することが好ましい。また、基準部材１５の縦腕部１５ｂの上部、即ち、水上に位置する部分には、振動を測定するためのセンサー１９が取り付けられている。センサー１９には加速度センサー等の各種の振動センサーを使用することができる。水流によってルアー３が動いたときに発生する振動は基準ライン１７に伝達されて基準部材１５へと伝達される。基準ライン１７に伝達されるルアー３の振動は基準ライン１７のラインテンションの変動として伝達される。該センサー１９が検出した振動データは配線２０を介して第一の記憶装置２１に送られて記憶される。振動データは、振動数（Ｈｚ）と振幅（ｍｍ）を含むものであり、測定したルアー３の種類と対応付けられて記憶される。例えば、図３のように振動データテーブル２２として記憶される。一例としては、クランクベイトであるルアー３Ａ、ミノーであるルアー３Ｂ、バイブレーションであるルアー３Ｃ、スピナーベイトであるルアー３Ｄを測定し、それらの振動データ３０１，３０２，３０３，３０４を振動データテーブル２２に記憶しておく。尚、ルアー３の種類が例えば同じクランクベイトという分類であってもその振動特性（振動数や振幅）が異なることも多いので、複数種類のクランクベイトの振動データを記憶するようにしても無論よいし、他のミノー等についても同様である。
【００１８】
次に、振動体感装置２について説明する。振動体感装置２は、評価対象であるロッド４に装着されたリール５から繰り出された使用ライン６を加振するための加振器３０と、上述の振動測定装置１によって測定された複数種類のルアー３の振動データを記憶する第二の記憶装置３１と、該第二の記憶装置３１が記憶する複数の振動データから所望の振動データを選択して入力するための入力装置３２と、該入力装置３２により選択された振動データに基づいて使用ライン６を加振させるように加振器３０を制御する制御装置３３と、各種の情報を表示するための表示装置３４と、ロッド４のグリップに取り付けられたセンサー３５からの出力データを記憶するための第三の記憶装置３６とを備えている。
【００１９】
評価対象であるロッド４にはリール５が装着されている。一例としてスピニングリールを装着したものを図示しているが、両軸リールを装着したものであっても同様である。リール５のスプールには、使用ライン６が巻かれている。該使用ライン６は、各種のラインであってよく、ナイロンラインやフロロライン、ＰＥライン等である。その使用ライン６はリール５から繰り出されてロッド４の各外ガイドを通り、穂先のトップガイドを通った後に更に所定長さ引き出された状態とされる。
【００２０】
制御装置３３には、加振器３０と、第二の記憶装置３１と、入力装置３２と、表示装置３４と、第三の記憶装置３６とが接続されている。尚、入力装置３２と表示装置３４とをタッチパネルにより兼用する構成としてもよい。使用ライン６の先端に加振器３０が接続されている。加振器３０は図２の矢印αのように使用ライン６に種々の振動をラインテンションとして加えることができるものであればその構成は任意であって、各種のバイブレータや、リニアモータ等を備えた構成であってよい。加振器３０は、使用ライン６に接続されて使用ライン６を振動させる振動部と、制御装置３３から送られてきた振動データに基づいて振動部を駆動制御する駆動制御部とを備えている。尚、加振器３０を、マグネットとコイルとを備えた構成とする場合には、振動部は、マグネット側であってもよいし、コイル側であってもよい。
【００２１】
第二の記憶装置３１はメモリ等の各種の記憶デバイスであってよい。該第二の記憶装置３１には、第一の記憶装置２１に記憶した振動データテーブル２２が移設されて記憶される。第一の記憶装置２１から第二の記憶装置３１へのデータ移動は無線であってもよいし有線であってもよいし、ＵＳＢメモリ等の各種の携帯性に優れた記憶デバイスを介してもよい。無論、第一の記憶装置２１と第二の記憶装置３１とを兼用するようにしてもよい。また、振動測定装置１で測定した振動データを所定のサーバに蓄えておき、インターネット経由でサーバから振動データをダウンロードして第二の記憶装置３１に記憶するようにしてもよい。
【００２２】
また、ロッド４のグリップに、使用ライン６からロッド４に伝達された振動を測定するためのセンサー３５を取り付けてもよい。即ち、使用ライン６を介してロッド４に伝達される振動を手の感覚のみならずデータとしても記憶しておくために、ロッド４のグリップ等の所定箇所にセンサー３５を取り付けて、そこに伝わる振動をセンサー３５により測定して、それを第三の記憶装置３６に記憶しておくことが好ましい。そして、加振器６から入力される振動データと、センサー３５から測定されるロッド４に伝達された振動データとを比較することにより、ロッド４の振動伝達特性を正確に把握することができ、分析することができる。第三の記憶装置３６を制御装置３３に接続しておくと、ロッド４に入力される振動データ即ち第二の記憶装置３１に記憶している振動データと、実際にロッド４に伝達された振動データとを制御装置３３によって比較して評価することができ、その比較評価結果を表示装置３４に表示することもできる。これにより使用者は自身の手の感覚のみならず、データという客観的な資料によってもロッド４とルアー３との相性を把握し、評価することができる。尚、第三の記憶装置３６は、第二の記憶装置３１と同様にメモリ等の各種の記憶デバイスであってよく、第二の記憶装置３１と兼用してもよい。また、センサー３５は、振動測定装置１のセンサー１９と同様の各種の振動センサーから構成できる。但し、センサー３５や第三の記憶装置３６を省略してもよい。
【００２３】
制御装置３３は、第二の記憶装置３１の振動データテーブル２２に格納されているルアー３の種類を表示装置３４に表示させる。使用者は、表示装置３４に表示されたルアー３の種類を目視できる。入力装置３２は、所望の振動データを選択してそれを入力することができる。具体的には、振動データテーブル２２におけるルアー３Ａ〜３Ｄの中から所望のルアー３を選択することができるように構成されている。制御装置３３は、入力装置３２から所定のルアー３が選択されると、それに対応した振動データを第二の記憶装置３１に記憶している振動データテーブル２２から読み出し、その振動データに基づいて加振器３０を制御すべく加振器３０の駆動制御部に振動データを送る。
【００２４】
例えば使用者がルアー３Ａを選択して入力装置３２から入力すると、ルアー３Ａの振動データ３０１に基づいて加振器３０が使用ライン６を加振する。その振動は使用ライン６からロッド４へと伝わるので、ロッド４のグリップを把持する手で振動を実際に体感することができる。また、ロッド４に伝達された振動をセンサー３５によって正確に測定することができ、第三の記憶装置３６にそのデータを出力データとして記憶しておくことができる。更に、加振器３０に送られるルアー３Ａの振動データ３０１を入力データとし、センサー３５によって検出された振動データを出力データとして、入出力データを表示装置３４に比較できるように表示することもできる。従って、ルアー３Ａの振動を伝達しやすいロッド４を設計、製作すれば、ルアー３Ａ〜３Ｄの中でも特にルアー３Ａの振動が感じられやすくなる。そして、他のルアー３Ｂ，３Ｃ，３Ｄの振動が相対的に感じられにくいものとなれば、ルアー３Ａの専用ロッドと称するに相応しいものになる。逆に、何れのルアー３であっても比較的振動が感じられやすいものであれば、バーサタイルなタイプのロッド４と言える。このように特定のルアー３の振動を伝えやすいロッド４としたり、特定のルアー３に偏らずに各ルアー３の振動を平均的に伝達できる特性を有したロッド４としたりすることができ、実釣せずともルアー３との相性を容易に設計し、製作することができる。同様に、購入者もルアー３とロッド４との相性を購入する前に予め体感することができる。
【００２５】
尚、水槽１０を縦長のものとし、基準ライン１７を垂下させてその下端にジグ等のルアー３を接続して測定するようにしてもよい。
【符号の説明】
【００２６】
１    振動測定装置
２    振動体感装置
３    ルアー
４    ロッド
５    リール
６    使用ライン
１０    水槽
１１    配管
１２    噴き出し口
１３    排出口
１４    モータ
１５    基準部材
１５ａ  横腕部
１５ｂ  縦腕部
１６    ライン取付部
１７    基準ライン
１８    サルカン
１９    センサー
２０    配線
２１    第一の記憶装置
２２    振動データテーブル
３０    加振器
３１    第二の記憶装置
３２    入力装置
３３    制御装置
３４    表示装置
３５    センサー
３６    第三の記憶装置
【図１】
2015138003.tif 000003
【図２】
2015138003.tif 000004
【図３】
2015138003.tif 000005